【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
複数の部品データをレイアウトすることにより作成される文書データを管理する情報処理装置であって、
前記文書データにレイアウトされている各部品データに含まれる文字のサイズと、当該文書データの出力時の出力縮尺とを用いて、前記文書データの出力時における前記文字の出力サイズを特定する特定手段と、
前記特定手段により特定された、前記文書データにおける前記文字の出力サイズを取得する取得手段と、
前記取得手段で取得した前記文書データにおける前記文字の出力サイズが、当該文書データで使用すべき文字の所定の出力サイズよりも小さい場合に、その旨を通知する通知手段と
を備えることを特徴とする情報処理装置。
【請求項２】
前記出力縮尺には、前記文書データの表示時の縮尺を含み、
前記特定手段は、前記文書データにレイアウトされている各部品データに含まれる前記文字のサイズと、前記文書データの表示時の縮尺とを用いて、前記文書データにおける前記文字の出力サイズを特定することを含むことを特徴とする請求項１に記載の情報処理装置。
【請求項３】
前記出力縮尺には前記文書データの印刷時の縮尺を含み、
前記特定手段は、前記文書データにレイアウトされている各部品データに含まれる前記文字のサイズと、前記文書データの印刷時の縮尺とを用いて、前記文書データにおける前記文字の出力サイズを特定することを含むことを特徴とする請求項１または２に記載の情報処理装置。
【請求項４】
前記文書データの承認依頼の入力に従って、当該文書データを承認すべきユーザに当該文書データの承認依頼を行う依頼手段を備え、
前記依頼手段は、前記取得手段で取得した前記文書データにおける前記文字の出力サイズが、前記文書データで使用すべき文字の所定の出力サイズよりも小さい場合に、当該文書データを承認すべきユーザに当該文書データの承認依頼を行わないことを特徴とする請求項１乃至３のいずれか１項に記載の情報処理装置。
【請求項５】
前記所定の出力サイズは、前記文書データで使用すべき最小の文字の出力サイズであることを特徴とする請求項１乃至４のいずれか１項に記載の情報処理装置。
【請求項６】
複数の部品データをレイアウトすることにより作成される文書データを管理する情報処理装置の制御方法であって、
前記情報処理装置の特定手段が、前記文書データにレイアウトされている各部品データに含まれる文字のサイズと、当該文書データの出力時の出力縮尺とを用いて、前記文書データの出力時における前記文字の出力サイズを特定する特定工程と、
前記情報処理装置の取得手段が、前記特定工程により特定された、前記文書データにおける前記文字の出力サイズを取得する取得工程と、
前記情報処理装置の通知手段が、前記取得工程で取得した前記文書データにおける前記文字の出力サイズが、当該文書データで使用すべき文字の所定の出力サイズよりも小さい場合に、その旨を通知する通知工程と
を備えることを特徴とする情報処理装置の制御方法。
【請求項７】
複数の部品データをレイアウトすることにより作成される文書データを管理する情報処理装置で読み取り実行可能なプログラムであって、
前記情報処理装置を、
前記文書データにレイアウトされている各部品データに含まれる文字のサイズと、当該文書データの出力時の出力縮尺とを用いて、前記文書データの出力時における前記文字の出力サイズを特定する特定手段と、
前記特定手段により特定された、前記文書データにおける前記文字の出力サイズを取得する取得手段と、
前記取得手段で取得した前記文書データにおける前記文字の出力サイズが、当該文書データで使用すべき文字の所定の出力サイズよりも小さい場合に、その旨を通知する通知手段
として機能させることを特徴とするプログラム。
【手続補正２】
【補正対象書類名】明細書
【補正対象項目名】発明の名称
【補正方法】変更
【補正の内容】
【発明の名称】情報処理装置、情報処理方法、及びプログラム
【手続補正３】
【補正対象書類名】明細書
【補正対象項目名】０００１
【補正方法】変更
【補正の内容】
【０００１】
本発明は、情報処理装置、情報処理方法、及びプログラムに関し、特に、部品データをレイアウトすることにより作成された文書データを出力する際に、出力サイズが所定の出力サイズより小さい文字を含む文書データの出力を好適に防止することが可能な仕組みに関する。
【手続補正４】
【補正対象書類名】明細書
【補正対象項目名】０００９
【補正方法】変更
【補正の内容】
【０００９】
本発明は、部品データをレイアウトすることにより作成された文書データを出力する際に、出力サイズが所定の出力サイズより小さい文字を含む文書データの出力を好適に防止することが可能な仕組みを提供することを目的とする。
【手続補正５】
【補正対象書類名】明細書
【補正対象項目名】００１０
【補正方法】変更
【補正の内容】
【００１０】
本発明は、複数の部品データをレイアウトすることにより作成される文書データを管理する情報処理装置であって、前記文書データにレイアウトされている各部品データに含まれる文字のサイズと、当該文書データの出力時の出力縮尺とを用いて、前記文書データの出力時における前記文字の出力サイズを特定する特定手段と、前記特定手段により特定された、前記文書データにおける前記文字の出力サイズを取得する取得手段と、前記取得手段で取得した前記文書データにおける前記文字の出力サイズが、当該文書データで使用すべき文字の所定の出力サイズよりも小さい場合に、その旨を通知する通知手段とを備えることを特徴とする。
【手続補正６】
【補正対象書類名】明細書
【補正対象項目名】００１１
【補正方法】変更
【補正の内容】
【００１１】
また、本発明は、複数の部品データをレイアウトすることにより作成される文書データを管理する情報処理装置の制御方法であって、前記情報処理装置の特定手段が、前記文書データにレイアウトされている各部品データに含まれる文字のサイズと、当該文書データの出力時の出力縮尺とを用いて、前記文書データの出力時における前記文字の出力サイズを特定する特定工程と、前記情報処理装置の取得手段が、前記特定工程により特定された、前記文書データにおける前記文字の出力サイズを取得する取得工程と、前記情報処理装置の通知手段が、前記取得工程で取得した前記文書データにおける前記文字の出力サイズが、当該文書データで使用すべき文字の所定の出力サイズよりも小さい場合に、その旨を通知する通知工程とを備えることを特徴とする。また、本発明は、複数の部品データをレイアウトすることにより作成される文書データを管理する情報処理装置で読み取り実行可能なプログラムであって、前記情報処理装置を、前記文書データにレイアウトされている各部品データに含まれる文字のサイズと、当該文書データの出力時の出力縮尺とを用いて、前記文書データの出力時における前記文字の出力サイズを特定する特定手段と、前記特定手段により特定された、前記文書データにおける前記文字の出力サイズを取得する取得手段と、前記取得手段で取得した前記文書データにおける前記文字の出力サイズが、当該文書データで使用すべき文字の所定の出力サイズよりも小さい場合に、その旨を通知する通知手段として機能させることを特徴とする。
【手続補正７】
【補正対象書類名】明細書
【補正対象項目名】００１２
【補正方法】変更
【補正の内容】
【００１２】
本発明によれば、部品データをレイアウトすることにより作成された文書データを出力する際に、出力サイズが所定の出力サイズより小さい文字を含む文書データの出力を好適に防止することが可能な仕組みを提供することが可能となる。